(57)【要約】【課題】画像に含まれる情報を容易に非表示にすることが可能な画像表示装置及び画像表示方法を提供する。また、画像に含まれる情報の表示及び非表示を容易に切り換えることが可能な画像表示装置及び画像表示方法を提供する。【解決手段】色変換部３３は、制御部２０からの指示を受けると、これ以降に入力される画像データに対して色変換処理を実行する。具体的には、色変換部３３は、入力される各色（ＲＧＢ）の画像データに含まれる画素値に基づき、入力画像Ｇｉの色変換範囲内に含まれるすべてのカラー画素Ｐｃについて、マスク色と同一或いはそれに近似した色であるか否かを判断し、同一或いは近似した色である場合に、このカラー画素Ｐｃが置換色となるように各画素値を置き換える。この結果、入力画像Ｇｉの色変換範囲内に含まれるマスク色が置換色に置き換えられた画像が、画像投写部１０から投写される。【選択図】図１
2008233742.tif 000002
【特許請求の範囲】
【請求項１】
所定の色からなる背景上に前記背景の色とは異なる色で情報が描画された画像を表す画像データが入力され、当該画像データに対して、前記情報の色を前記背景の色に置き換えるための色変換処理を施す色変換部と、
前記色変換処理された画像データに基づいた画像を表示する表示部と、
を備えたことを特徴とする画像表示装置。
【請求項２】
請求項１に記載の画像表示装置であって、
前記背景の色、及び前記情報の色の少なくとも一方を、複数の色の中から指定可能な色指定手段を備えたことを特徴とする画像表示装置。
【請求項３】
請求項１に記載の画像表示装置であって、
入力される前記画像データに基づいて、前記背景の色、及び前記情報の色の少なくとも一方を認識する色認識手段を備えたことを特徴とする画像表示装置。
【請求項４】
請求項１〜３のいずれか１項に記載の画像表示装置であって、
前記画像の一部の範囲を指定する範囲指定手段を備え、
前記色変換部は、前記範囲指定手段で指定された範囲に含まれる情報の色を、当該範囲の背景の色に置き換えることを特徴とする画像表示装置。
【請求項５】
請求項１〜４のいずれか１項に記載の画像表示装置であって、
前記色変換処理を施した画像を前記表示部に表示させる状態と、前記色変換処理を施さない画像を前記表示部に表示させる状態とを切り換える切換手段を備えたことを特徴とする画像表示装置。
【請求項６】
所定の色からなる背景上に前記背景の色とは異なる色で情報が描画された画像を表す画像データが入力される第１のステップと、
前記画像データに対して、前記情報の色を前記背景の色に置き換えるための色変換処理を施す第２のステップと、
前記色変換処理された画像信号に基づいた画像を表示する第３のステップと、
を備えたことを特徴とする画像表示方法。
【発明の詳細な説明】
【技術分野】
【０００１】
本発明は、画像表示装置及び画像表示方法に関する。
【背景技術】
【０００２】
プロジェクタを用いて画像を投写する際に、画像の一部を非表示にしたい場合がある。例えば、問題文とその回答とを含んだ原稿を投写する場合に、回答を隠した状態で投写できれば、聴衆に対して問題文のみを提示することができるようになる。このためには、問題文のみからなる原稿、即ち一部（回答）を隠した原稿を新たに用意する必要があった。
また、隠していた部位を後で表示させる必要がある場合には、ＰＣのプレゼンテーションソフトウェアを用いて原稿を作成すれば、問題文のみが表示されている状態から所定の操作を行うことによって、回答を含んだ画像に切り換えたり、問題文のみからなる画像に回答を重ねて表示させたりすることができる。また、特許文献１に示すように、投写画像に手書きの文字等を重畳して表示可能な投射型表示システムを用いれば、回答を手書きで示すことが可能であるため、問題文のみからなる原稿さえ準備すれば済む。
【０００３】
【特許文献１】特開２０００−１４８３７５号公報
【発明の開示】
【発明が解決しようとする課題】
【０００４】
しかしながら、一部を隠した原稿を新たに用意することは、ユーザにとって煩雑な作業であった。特に、元の原稿が画像ファイルの態様でのみ存在する場合には、その一部を隠すことは、ＰＣに不慣れなユーザにとっては容易な作業ではない。
同様に、隠していた部位を後で表示させるために、原稿をプレゼンテーションソフトウェアを用いて作成することは、ＰＣに不慣れなユーザにとって大きな負担であった。また、特許文献１に記載の投射型表示システムでは、手書き入力を行うための入力案内手段（入力板）や撮像手段（カメラ）を備える必要があるため、装置の大型化や、高価格化を招いてしまう。さらに、聴衆が視認できるように丁寧に文字を書かなければならないため、説明者が手書き入力を煩雑に感じてしまうという問題も有している。
【０００５】
本発明は上記問題に鑑みてなされたものであり、その第１の目的は、画像に含まれる情報を容易に非表示にすることが可能な画像表示装置及び画像表示方法を提供することにある。また、本発明の第２の目的は、画像に含まれる情報の表示及び非表示を容易に切り換えることが可能な画像表示装置及び画像表示方法を提供することにある。
【課題を解決するための手段】
【０００６】
本発明の画像表示装置は、所定の色からなる背景上に前記背景の色とは異なる色で情報が描画された画像を表す画像データが入力され、当該画像データに対して、前記情報の色を前記背景の色に置き換えるための色変換処理を施す色変換部と、前記色変換処理された画像データに基づいた画像を表示する表示部とを備えたことを特徴とする。
【０００７】
この画像表示装置によれば、色変換部が、情報の色を背景の色に置き換えるため、画像に含まれる情報を容易に非表示にすることが可能となる。
【０００８】
この画像表示装置において、前記背景の色、及び前記情報の色の少なくとも一方を、複数の色の中から指定可能な色指定手段を備えることが望ましい。
【０００９】
この画像表示装置によれば、色指定手段によって、背景の色及び情報の色の少なくとも一方を指定することができるため、様々な配色の画像において情報を非表示にすることが可能となる。
【００１０】
この画像表示装置において、入力される前記画像データに基づいて、前記背景の色、及び前記情報の色の少なくとも一方を認識する色認識手段を備えることが望ましい。
【００１１】
この画像表示装置によれば、色認識手段によって、背景の色、及び情報の色の少なくとも一方を認識することができるため、色を指定する必要がなくなる。
【００１２】
この画像表示装置において、前記画像の一部の範囲を指定する範囲指定手段を備え、前記色変換部は、前記範囲指定手段で指定された範囲に含まれる情報の色を、当該範囲の背景の色に置き換えることが望ましい。
【００１３】
この画像表示装置によれば、範囲指定手段によって、色変換処理を施す範囲を指定することができるため、情報が複数の位置に存在する場合でも、所望の位置の情報のみを非表示にすることが可能となる。
【００１４】
この画像表示装置において、前記色変換処理を施した画像を前記表示部に表示させる状態と、前記色変換処理を施さない画像を前記表示部に表示させる状態とを切り換える切換手段を備えることが望ましい。
【００１５】
この画像表示装置によれば、切換手段を備えているため、情報の表示及び非表示を容易に切り換えることが可能となる。
【００１６】
本発明の画像表示方法は、所定の色からなる背景上に前記背景の色とは異なる色で情報が描画された画像を表す画像データが入力される第１のステップと、前記画像データに対して、前記情報の色を前記背景の色に置き換えるための色変換処理を施す第２のステップと、前記色変換処理された画像信号に基づいた画像を表示する第３のステップと、を備えたことを特徴とする。
【００１７】
この画像表示方法によれば、第２のステップにおいて、情報の色を背景の色に置き換えるため、画像に含まれる情報を容易に非表示にすることが可能となる。
【００１８】
また、上述した画像表示装置及び画像表示方法が、画像表示装置に備えられたコンピュータを用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１９】
（実施形態）
以下、本発明に係る画像表示装置の実施形態として、入力される画像信号に応じた画像（入力画像）をスクリーン等に投写して表示するプロジェクタについて説明する。本実施形態のプロジェクタは、入力される画像信号に色変換処理を施すことにより、投写される入力画像の一部を非表示（不可視）にすることが可能になっている。
【００２０】
図１は、本実施形態のプロジェクタの概略構成を示すブロック図である。
図１に示すように、プロジェクタ１は、表示部としての画像投写部１０、制御部２０、記憶部２１、入力操作部２２、操作信号受信部２３、画像信号入力部３１、画像信号処理部３２、色変換部３３、画像分析部３４、ＯＳＤ処理部３５、リモコンＲＣ等で構成されており、画像投写部１０には、光源部１１、光変調装置としての３つの液晶ライトバルブ１２Ｒ，１２Ｇ，１２Ｂ、投写光学系としての投写レンズ１３、ライトバルブ駆動部１４等が含まれている。
【００２１】
光源部１１は、超高圧水銀ランプや、メタルハライドランプ等の放電ランプ１１ａと、放電ランプ１１ａが放射した光を液晶ライトバルブ１２Ｒ，１２Ｇ，１２Ｂ側に反射するリフレクタ１１ｂとを含んで構成されている。光源部１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２２】
液晶ライトバルブ１２Ｒ，１２Ｇ，１２Ｂは、それぞれ一対の透明基板間に液晶が封入された液晶パネル等によって構成されている。液晶パネルは、マトリクス状に配列されたｍ×ｎ個の画素を有しており、各透明基板の内面に形成された透明電極によって、液晶に対して、画素毎に駆動電圧を印加可能になっている。
【００２３】
ライトバルブ駆動部１４が、入力される画像データ（画像信号）に応じた駆動電圧を各画素に印加すると、各画素は、画像データに応じた光透過率に設定される。このため、光源部１１から射出された光は、この液晶ライトバルブ１２Ｒ，１２Ｇ，１２Ｂを透過することによって変調され、画像データに応じた画像光が色光毎に形成される。形成された各色の画像光は、図示しない色合成光学系によって画素毎に合成されてカラー画像を表す画像光となった後、投写レンズ１３によって拡大投写される。この結果、スクリーンＳＣには、ｍ×ｎ個のカラー画素Ｐｃからなる入力画像Ｇｉが表示される。
【００２４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２５】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや各種データ等が記憶されている。
【００２６】
入力操作部２２及びリモコンＲＣは、プロジェクタ１に対して各種指示を行うための複数の操作ボタンを備えている。入力操作部２２及びリモコンＲＣが備える操作ボタンとしては、電源のオン・オフを行うための「電源ボタン」、各種設定を行うためのメニュー画像の表示／非表示を切り換える「メニューボタン」、メニュー画像上でのカーソルの移動等に用いられる「カーソルボタン」（上下左右に対応する４つのボタン）、メニュー画像上で選択された項目を確定させるための「決定ボタン」、動作の取消しを指示する「取消ボタン」、入力画像の一部を非表示にするための「マスクボタン」等がある。ユーザが入力操作部２２の各種操作ボタンを操作すると、入力操作部２２は、ユーザの操作内容に応じた操作信号を制御部２０に出力する。また、ユーザがリモコンＲＣの各種操作ボタンを操作すると、リモコンＲＣは、ユーザの操作内容に応じた赤外線の操作信号を発し、操作信号受信部２３がこれを受信して制御部２０に伝達する。
【００２７】
画像信号入力部３１は、ビデオ再生装置やパーソナルコンピュータ等の外部の画像供給装置（図示せず）から、各種形式の画像信号を入力可能な複数の入力端子を備えており、入力された画像信号を、画像信号処理部３２に出力する。
【００２８】
画像信号処理部３２は、画像信号入力部３１から入力された各種形式の画像信号に基づいて、液晶ライトバルブ１２Ｒ，１２Ｇ，１２Ｂの各画素に印加すべき駆動電圧を規定する画像データを色（ＲＧＢ）別に生成する。この画像データは、各画素の光透過率を表す複数（ｍ×ｎ個）の画素値によって構成されており、各色の画素値の組み合わせによってカラー画素Ｐｃの色が定まる。さらに、画像信号処理部３２は、制御部２０の指示に基づき、生成した画像データ（画素値）に対して、明るさ、コントラスト、シャープネス、色合い等の調整や、ガンマ補正等の各種画質調整を施す。画像信号処理部３２で画質調整がなされた画像データは、色変換部３３及び画像分析部３４に出力される。
【００２９】
色変換部３３は、制御部２０の指示に基づいて、画像信号処理部３２から入力される画像データに、入力画像Ｇｉ（カラー画像）に含まれる所定の色を他の色に置き換えるための色変換処理を施す。色変換部３３は、処理後の画像データをＯＳＤ処理部３５に出力する。なお、制御部２０から色変換処理を行う旨の指示がない場合には、色変換部３３は、画像信号処理部３２から入力された画像データをそのままＯＳＤ処理部３５に出力する。
【００３０】
画像分析部３４は、制御部２０の指示に基づいて、画像信号処理部３２から入力される画像データを分析し、分析結果を制御部２０に出力する。具体的には、画像分析部３４は、制御部２０によって入力画像Ｇｉ上の所定の位置が指定されると、その位置のカラー画素Ｐｃに対応する各色の画素値から、そのカラー画素Ｐｃの色を判別して制御部２０に通知する。また、制御部２０によって入力画像Ｇｉ上の所定の範囲が指定されると、その範囲に含まれる各色の頻度を導出して制御部２０に出力する。このため、制御部２０は、入力画像Ｇｉが、単色の背景上に文字や図形等の情報が単色で描画された画像である場合には、画像分析部３４からの分析結果（各色の頻度）に基づいて、その背景色や描画色（情報の色）を認識することができる。
【００３１】
ＯＳＤ処理部３５は、制御部２０の指示に基づいて、メニュー画像やメッセージ画像等からなるＯＳＤ（オンスクリーンディスプレイ）画像を、入力画像Ｇｉに重畳するための処理を行う。ＯＳＤ処理部３５は、図示しないＯＳＤメモリを備えており、ＯＳＤ画像を形成するための図形やフォント等を表すＯＳＤ画像データを記憶している。制御部２０が、ＯＳＤ画像を特定可能なＯＳＤ画像情報をＯＳＤ処理部３５に出力すると、ＯＳＤ処理部３５は、必要なＯＳＤ画像データをＯＳＤメモリから読み出し、入力画像Ｇｉの所定の位置にＯＳＤ画像が重畳されるように、色変換部３３から入力される画像データにこのＯＳＤ画像データを合成する。合成された画像データは、ライトバルブ駆動部１４に出力される。なお、制御部２０からＯＳＤ画像を表示する旨の指示がない場合には、ＯＳＤ処理部３５は、色変換部３３から出力される画像データを、そのままライトバルブ駆動部１４に出力する。
【００３２】
ライトバルブ駆動部１４は、ＯＳＤ処理部３５から入力される画像データに基づいて、３つの液晶ライトバルブ１２Ｒ，１２Ｇ，１２Ｂを駆動する。この結果、画像データに応じたカラー画像（入力画像Ｇｉ）が、画像投写部１０からスクリーンＳＣ等に投写される。
【００３３】
本実施形態のプロジェクタ１は、以上のような構成を有しているため、色変換部３３で色変換処理を行って、入力画像Ｇｉに含まれる所定の色（例えば、文字や図形等の描画色）を他の色（例えば、背景色）に置き換えることにより、画像の一部を非表示にすることが可能となっている。ここで、置き換え対象となる色（置き換え前の色であり、以降、「マスク色」という。）、及び置き換え後の色（以降、「置換色」という。）については、ユーザによって指定可能であるほか、画像分析部３４による分析結果に基づいて定めることができる。
【００３４】
次に、本実施形態のプロジェクタ１の色変換処理に関わる動作について説明する。
プロジェクタ１に商用電源が供給され、入力操作部２２やリモコンＲＣの電源ボタンが操作されると、制御部２０は、制御プログラムに従った動作を開始し、画像信号入力部３１に入力される画像信号に応じた入力画像Ｇｉの投写を開始する。入力画像Ｇｉの投写を行っている間、制御部２０は、入力操作部２２やリモコンＲＣによる入力操作を監視しており、ユーザが、入力操作部２２やリモコンＲＣのメニューボタンを操作すると、制御部２０は、ＯＳＤ画像からなるメインメニュー（図示せず）を入力画像Ｇｉ上に重畳させる。ユーザは、メインメニューからの所定の項目を選択することにより、色変換処理に関わる設定を行うことができる。
【００３５】
図２〜図８は、色変換処理に関わる設定を行う際の動作を説明する説明図である。
メインメニューで色変換処理に関わる設定をするための項目が選択されると、制御部２０は、ＯＳＤ処理部３５に指示をして、図２に示すようなＯＳＤ画像（色変換設定メニューＧｍ）を入力画像Ｇｉ上に重畳させる。
図２に示すように、色変換設定メニューＧｍは、タイトルを表示するタイトル表示部Ｇｍ１と、設定項目を選択させる設定項目選択部Ｇｍ２と、メニュー操作を案内するための操作ガイドＧｍ３とを含んで構成されている。設定項目選択部Ｇｍ２には、設定項目として、「マスク色の設定」、「置換色の設定」、「対象範囲の設定」、及び「設定終了」の４つの項目が縦に配列されている。ユーザは、上下のカーソルボタンを操作することにより、設定項目を上記４項目の中から選択することができる。ユーザが、所望の設定項目を選択した状態で、決定ボタンを操作すると、制御部２０は、選択された項目に応じた動作を行う。
【００３６】
色変換設定メニューＧｍで、設定項目に「マスク色の設定」が選択された状態で決定ボタンが操作された場合には、制御部２０は、ＯＳＤ処理部３５に指示をして、図３に示すようなＯＳＤ画像（マスク色設定メニューＧｐ）を、入力画像Ｇｉ上に重畳させる。
図３に示すように、マスク色設定メニューＧｐは、タイトルを表示するタイトル表示部Ｇｐ１と、設定方法を選択させる設定方法選択部Ｇｐ２と、メニュー操作を案内するための操作ガイドＧｐ３とを含んで構成されている。設定方法選択部Ｇｐ２には、選択可能な設定方法として、「リストから選択」、「映像から選択」、及び「自動認識」の３つの項目が縦に配列されている。ユーザは、上下のカーソルボタンを操作することにより、その設定方法を上記３項目の中から選択することができる。ユーザが、所望の設定方法を選択した状態で、決定ボタンを操作すると、制御部２０は、選択された項目に応じた動作を行う。
【００３７】
マスク色設定メニューＧｐにおいて、設定方法に「リストから選択」が選択された状態で決定ボタンが操作された場合には、制御部２０は、ＯＳＤ処理部３５に指示をして、図４に示すようなＯＳＤ画像（色選択リストＧｓ）を入力画像Ｇｉ上に重畳させる。
図４に示すように、色選択リストＧｓは、色を選択させる色選択部Ｇｓ１と、メニュー操作を案内するための操作ガイドＧｓ２とを含んで構成されている。色選択部Ｇｓ１には、黒、白、青等の色を表す複数の名称（色名称）が配列されており、各色名称の横にはサンプルの文字列（「ａｂｃｄｅｆ」）が対応する色で表示されている。ユーザは、上下左右のカーソルボタンを操作することにより、配列された複数の色の中から１つの色を選択することができる。ユーザが、所望の色を選択した状態で決定ボタンを操作すると、制御部２０は、選択された色をマスク色に設定し、これをマスク色情報として記憶部２１に記憶する。
【００３８】
マスク色設定メニューＧｐ（図３参照）において、設定方法に「映像から選択」が選択された状態で決定ボタンが操作された場合には、制御部２０は、ＯＳＤ処理部３５に指示をして、図５に示すような色抽出カーソルＣｓ（ＯＳＤ画像）を入力画像Ｇｉ上に重畳させる。ここで、制御部２０からＯＳＤ処理部３５に出力される指示には、色抽出カーソルＣｓを重畳すべき位置（座標）を表す位置情報が含まれており、ＯＳＤ処理部３５は、この位置に色抽出カーソルＣｓの先端Ｃｓｐが位置するように重畳処理を行う。この状態で、ユーザが上下左右のカーソルボタンを操作すると、制御部２０は、ユーザの操作に応じて位置情報を更新するとともに、ＯＳＤ処理部３５に指示をして、色抽出カーソルＣｓの位置を、更新後の位置情報が表す位置に変化させる。つまり、ユーザは、上下左右のカーソルボタンを操作することによって、色抽出カーソルＣｓを入力画像Ｇｉ上の所望の位置に移動させることができる。また、色抽出カーソルＣｓが表示されている状態でユーザが決定ボタンを操作すると、制御部２０は、色抽出カーソルＣｓの先端Ｃｓｐの位置情報を画像分析部３４に出力し、画像分析部３４からこの位置の色、即ち色抽出カーソルＣｓが指し示すカラー画素Ｐｃの色を取得する。その後、制御部２０は、取得した色をマスク色に設定し、これをマスク色情報として記憶部２１に記憶する。
【００３９】
マスク色設定メニューＧｐ（図３参照）において、設定方法に「自動認識」が選択された状態で決定ボタンが操作された場合には、制御部２０は、マスク色が未設定である旨を、マスク色情報として記憶部２１に記憶する。
【００４０】
図２に戻って、色変換設定メニューＧｍで、設定項目に「置換色の設定」が選択された状態で決定ボタンが操作された場合には、制御部２０は、ＯＳＤ処理部３５に指示をして、図６に示すようなＯＳＤ画像（置換色設定メニューＧｆ）を、入力画像Ｇｉ上に重畳させる。
図６に示すように、置換色設定メニューＧｆは、タイトルを表示するタイトル表示部Ｇｆ１と、設定方法を選択させる設定方法選択部Ｇｆ２と、メニュー操作を案内するための操作ガイドＧｆ３とを含んで構成されている。設定方法選択部Ｇｆ２には、選択可能な設定方法として、マスク色設定メニューＧｐと同じ３つの項目（「リストから選択」、「映像から選択」、及び「自動認識」）が縦に配列されている。ユーザは、上下のカーソルボタンを操作することにより、その設定方法を上記３項目の中から選択することができる。
【００４１】
ユーザが、所望の設定方法を選択した状態で、決定ボタンを操作すると、制御部２０は、マスク色設定メニューＧｐの場合と同様の動作を行って置換色を設定する。つまり、設定方法に「リストから選択」が選択された状態で決定ボタンが操作された場合には、制御部２０は、色選択リストＧｓ（図４参照）を入力画像Ｇｉ上に重畳させて、ユーザに所望の色を選択させ、選択された色を置換色情報として記憶部２１に記憶する。また、設定方法に「映像から選択」が選択された状態で決定ボタンが操作された場合には、制御部２０は、入力画像Ｇｉ上に色抽出カーソルＣｓ（図５参照）を重畳させた後、色抽出カーソルＣｓによってユーザが指示した位置の色を取得して、これを置換色情報として記憶部２１に記憶する。また、設定方法に「自動認識」が選択された状態で決定ボタンが操作された場合には、制御部２０は、置換色が未設定である旨を、置換色情報として記憶部２１に記憶する。
【００４２】
図２に戻って、色変換設定メニューＧｍで、設定項目に「対象範囲の設定」が選択された状態で決定ボタンが操作された場合には、制御部２０は、図７に示すようなＯＳＤ画像（範囲設定メニューＧｒ）を入力画像Ｇｉ上に重畳させる。
図７に示すように、範囲設定メニューＧｒは、タイトルを表示するタイトル表示部Ｇｒ１と、対象範囲を選択させる対象範囲選択部Ｇｒ２と、メニュー操作を案内するための操作ガイドＧｒ３とを含んで構成されている。対象範囲選択部Ｇｒ２には、選択可能な項目として、「全画面」及び「範囲指定」の２項目が横に配列されている。ユーザは、左右のカーソルボタンを操作することにより、上記２項目のいずれか１つを選択することができる。ここで、ユーザが、「全画面」を選択した状態で決定ボタンを操作すると、制御部２０は、入力画像Ｇｉの全体を色変換の対象範囲（色変換範囲）として認識し、この範囲を表す範囲情報を記憶部２１に記憶する。
【００４３】
一方、ユーザが「範囲指定」を選択した状態で決定ボタンを操作すると、制御部２０は、ＯＳＤ処理部３５に指示をして、図８に示すように、範囲指定を行うための範囲指定カーソルＣｒ（ＯＳＤ画像）を入力画像Ｇｉ上に重畳させる。ユーザは、カーソルボタンを操作して、範囲指定カーソルＣｒを所望の位置に移動させることができるうえ、決定ボタンの操作によって矩形の範囲の対角位置（２ヶ所）を指示することにより、所望の範囲を指定することができる。２つ目の対角位置が指示されて範囲が確定すると、制御部２０は、指定された範囲を色変換範囲として認識し、この範囲を表す範囲情報を記憶部２１に記憶する。
【００４４】
図２に戻って、色変換設定メニューＧｍで、「設定終了」が選択された状態で決定ボタンが操作された場合には、制御部２０は、記憶部２１からマスク色情報及び置換色情報を読み出して、マスク色及び置換色の双方とも設定済みであるか否かを判断する。この結果、マスク色及び置換色の双方とも設定済みである場合には、制御部２０は、ＯＳＤ処理部３５に指示をして、色変換設定メニューＧｍの重畳を終了し、入力画像Ｇｉを投写する状態に復帰する。
【００４５】
一方、マスク色及び置換色の双方、或いはいずれか一方が未設定である場合には、制御部２０は、色変換範囲を表す範囲情報を記憶部２１から読み出して画像分析部３４に出力し、画像分析部３４に、この範囲内に含まれる各色の頻度を導出させる。その後、制御部２０は、画像分析部３４の分析結果（各色の頻度）に基づいて、色変換範囲に含まれる情報の描画色とその背景色とを認識し、それぞれをマスク色や置換色として設定する。具体的には、置換色が未設定である場合には、制御部２０は、画像分析部３４の分析結果に基づいて、色変換範囲の中で頻度が最も高い色を背景色として認識し、これを置換色情報として記憶部２１に記憶する。また、マスク色が未設定である場合には、制御部２０は、画像分析部３４の分析結果に基づいて、色変換範囲の中で頻度が２番目に高い色を情報の描画色として認識し、これをマスク色情報として記憶部２１に記憶する。マスク色や置換色の設定が完了すると、制御部２０は、ＯＳＤ処理部３５に指示をして、色変換設定メニューＧｍの重畳を終了し、入力画像Ｇｉを投写する状態に復帰する。
【００４６】
ユーザは、上記の操作によってマスク色及び置換色を設定した後、入力操作部２２又はリモコンＲＣのマスクボタンを操作することにより、プロジェクタ１に対して、入力画像Ｇｉに含まれるマスク色を置換色に置き換える色変換処理の実行を指示することができる。
【００４７】
図９は、マスクボタンが操作された際の動作を説明するフローチャートである。入力画像Ｇｉを投写中に、入力操作部２２又はリモコンＲＣのマスクボタンが操作されると、制御部２０は、図９に示すフローに従って、色変換処理を実行するための動作を行う。なお、既に色変換処理を実行している状態で、マスクボタンが操作された場合にも、制御部２０は、このフローに従って動作する。
【００４８】
図９に示すように、ステップＳ１０１では、制御部２０は、既に色変換処理を実行している状態であるか否かを判断する。この結果、色変換処理を実行していない状態であれば、ステップＳ１０２に移行する。一方、既に色変換処理を実行中である場合には、ステップＳ１０４に移行する。
【００４９】
ステップＳ１０２では、制御部２０は、記憶部２１からマスク色情報、置換色情報、及び範囲情報を読出してステップＳ１０３に移行する。ステップＳ１０３では、制御部２０は、色変換部３３にこれらの情報を出力して、色変換範囲内に含まれるマスク色を置換色に置き換える指示をして処理を終了する。
【００５０】
色変換部３３は、制御部２０からの上記指示を受けると、これ以降に入力される画像データに対して色変換処理を実行する。具体的には、色変換部３３は、入力される各色（ＲＧＢ）の画像データに含まれる画素値に基づき、入力画像Ｇｉの色変換範囲内に含まれるすべてのカラー画素Ｐｃについて、マスク色と同一或いはそれに近似した色であるか否かを判断し、同一或いは近似した色である場合に、このカラー画素Ｐｃが置換色となるように各画素値を置き換える。この結果、入力画像Ｇｉの色変換範囲内に含まれるマスク色が置換色に置き換えられた画像が、画像投写部１０から投写される。
【００５１】
ステップＳ１０１において、既に色変換処理を実行中であるためにステップＳ１０４に移行した場合には、制御部２０は、色変換部３３に対して、色変換処理を終了する旨の指示をして処理を終了する。
【００５２】
色変換部３３は、制御部２０から上記指示を受けると、色変換処理を終了し、画像信号処理部３２からの画像データをそのままＯＳＤ処理部３５に出力する状態に移行する。この結果、画像投写部１０から入力画像Ｇｉのみが投写される状態となる。つまり、ユーザは、マスクボタンの操作を繰り返すことによって、入力画像Ｇｉに色変換処理が施された状態と、入力画像Ｇｉがそのまま表示される状態とを切り換えることができる。また、制御部２０は、色変換処理中であるか否かを記憶するためのフラグを備えており、ステップＳ１０３及びステップＳ１０４において、その内容を書き換えるようになっている。このため、ステップＳ１０１では、このフラグを参照することにより、既に色変換処理を実行中であるか否かを判断することができる。
【００５３】
次に、プロジェクタ１で色変換処理を行う際の具体的事例について、図面を参照して説明する。
図１０（ａ）、（ｂ）、図１１（ａ）、（ｂ）、図１２（ａ）、（ｂ）は、色変換処理の具体的事例を説明するための説明図である。
図１０（ａ）に示すように、入力画像Ｇｉが、例えば、白色の背景上に文字や図形等の情報が黒色で描画された画像である場合には、色変換範囲を「全画面」、マスク色を黒、置換色を白と設定して色変換処理を実行させることにより、図１０（ｂ）に示すように、入力画像Ｇｉ上の黒色の部位をすべて非表示にすることができる。なお、この場合には、マスク色及び置換色を自動認識によって設定することも可能である。
【００５４】
また、入力画像Ｇｉに描画されている情報の一部のみを非表示にしたい場合には、図１１（ａ）、（ｂ）に示すように、その部位を含む範囲を色変換範囲として指定して、マスク色や置換色を適宜設定すればよい。また、入力画像Ｇｉにおいて、非表示にしたい情報のみが他と異なる色で描画されている場合には、その色をマスク色に指定すれば、色変換範囲を指定する必要はない。例えば、図１２（ａ）に示すように、入力画像Ｇｉが、白色の背景上に黒色で描画された文字（「勤労」以外の文字）と赤色で描画された文字（「勤労」）とを含む画像である場合に、マスク色を赤、置換色を白と設定して色変換処理を実行させれば、図１２（ｂ）に示すように、入力画像Ｇｉ上の赤色の文字のみを非表示にすることができる。
【００５５】
ここで、スライドショーのように、入力画像Ｇｉの内容が順次切り換わる場合でも、非表示にしたい情報が常に特定の範囲内に存在する場合や、非表示にしたい情報のみが常に特定の色で描画されている場合には、一度、色変換範囲やマスク色、置換色を設定すれば、入力画像Ｇｉが切り換わるたびに設定しなおす必要はない。また、非表示にしようとしている情報を、設定中に観衆に見られるのを避けたい場合には、事前に（例えば、プレゼンテーションの開始前に）、或いは、非表示にしたい情報を含む画像に切り換わる前に、色変換範囲やマスク色、置換色の設定を行うようにすればよい。
【００５６】
以上説明したように、本実施形態のプロジェクタ１によれば、以下の効果を得ることができる。
（１）本実施形態のプロジェクタ１によれば、色変換部３３が、マスク色を置換色に置き換えるため、入力画像Ｇｉに含まれる情報の描画色をマスク色とし、背景色を置換色として設定することにより、入力画像Ｇｉに含まれる情報を容易に非表示にすることが可能となる。
【００５７】
（２）本実施形態のプロジェクタ１によれば、ユーザは、マスク色設定メニューＧｐ（図３参照）及び置換色設定メニューＧｆ（図６参照）から「リストから選択」を選択することにより、色選択リストＧｓ（図４参照）に含まれる複数の色の中からマスク色や置換色を指定することができる。また、マスク色設定メニューＧｐ及び置換色設定メニューＧｆから「映像から選択」を選択して色抽出カーソルＣｓ（図５参照）を表示させることにより、入力画像Ｇｉに含まれる色の中からマスク色や置換色を指定することができる。このため、様々な配色の入力画像Ｇｉにおいて情報を非表示にすることが可能となる。
【００５８】
（３）本実施形態のプロジェクタ１によれば、マスク色設定メニューＧｐ（図３参照）及び置換色設定メニューＧｆ（図６参照）から「自動認識」が選択された場合に、制御部２０が、画像分析部３４に色の頻度を分析させて背景色や描画色を認識し、それぞれを置換色、マスク色に設定するため、ユーザが入力画像Ｇｉに応じて色を指定する必要がなくなる。
【００５９】
（４）本実施形態のプロジェクタ１によれば、ユーザは、色変換設定メニューＧｍ（図２参照）から「対象範囲の設定」を選択して、範囲指定カーソルＣｒを表示させることにより、色変換処理の対象範囲（色変換範囲）を指定することができるため、情報が複数の位置に存在する場合でも、所望の位置の情報のみを非表示にすることが可能となる。
【００６０】
（５）本実施形態のプロジェクタ１によれば、入力操作部２２又はリモコンＲＣのマスクボタンが操作されるたびに、制御部２０が色変換処理の実行と終了とを切り換えるため、情報の表示及び非表示を容易に切り換えることが可能となる。
【００６１】
なお、本実施形態では、マスク色設定メニューＧｐや置換色設定メニューＧｆ等を表示して、ユーザにマスク色や置換色の設定を行わせる際の制御部２０、入力操作部２２、リモコンＲＣ、操作信号受信部２３、ＯＳＤ処理部３５が、本発明の色指定手段に相当し、入力画像Ｇｉ上に範囲指定カーソルＣｒを表示させて、色変換範囲を指定させる際の、制御部２０、入力操作部２２、リモコンＲＣ、操作信号受信部２３、ＯＳＤ処理部３５が、本発明の範囲指定手段に相当する。また、マスク色設定メニューＧｐや置換色設定メニューＧｆで「自動認識」が選択された場合に、制御部２０が画像分析部３４の分析結果に基づいて背景色や描画色を認識することから、このときの制御部２０及び画像分析部３４が、本発明の色認識手段に相当する。また、マスクボタンの操作に応じて、色変換処理の実行と終了とを切り換える際の制御部２０、入力操作部２２、リモコンＲＣ、操作信号受信部２３が、本発明の切換手段に相当する。
【００６２】
（変形例）
なお、本発明の実施形態は、以下のように変更してもよい。
【００６３】
前記実施形態では、情報の描画色を背景色に置き換えることにより情報を非表示する構成を示しているが、情報を非表示にするためには、背景色を描画色に置き換えるようにしてもよいし、背景色と描画色の双方を他の同一色に置き換えるようにしてもよい。
【００６４】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６５】
前記実施形態では、光源部１１として放電型光源ランプを用いているが、ＬＥＤ（Light Emitting Diode：発光ダイオード）光源等の固体光源や、その他の光源を用いることもできる。
【００６６】
前記実施形態では、画像表示装置として、プロジェクタ１を例にして説明しているが、透過型のスクリーンを一体的に備えたリアプロジェクタ、或いは、ＣＲＴ（陰極線管）ディスプレイ、液晶ディスプレイ、プラズマディスプレイ、ＳＥＤ（Surface-conduction Electron-emitter Display）、有機ＥＬ（Electro Luminescence）ディスプレイ等に適用することも可能である。
【図面の簡単な説明】
【００６７】
【図１】実施形態に係るプロジェクタの概略構成を示すブロック図。
【図２】色変換処理に関わる設定を行う際の動作を説明する説明図。
【図３】色変換処理に関わる設定を行う際の動作を説明する説明図。
【図４】色変換処理に関わる設定を行う際の動作を説明する説明図。
【図５】色変換処理に関わる設定を行う際の動作を説明する説明図。
【図６】色変換処理に関わる設定を行う際の動作を説明する説明図。
【図７】色変換処理に関わる設定を行う際の動作を説明する説明図。
【図８】色変換処理に関わる設定を行う際の動作を説明する説明図。
【図９】マスクボタンが操作された際の動作を説明するフローチャート。
【図１０】（ａ）、（ｂ）は、色変換処理の具体的事例を説明するための説明図。
【図１１】（ａ）、（ｂ）は、色変換処理の具体的事例を説明するための説明図。
【図１２】（ａ）、（ｂ）は、色変換処理の具体的事例を説明するための説明図。
【符号の説明】
【００６８】
１…プロジェクタ、１０…画像投写部、１１…光源部、１２Ｒ，１２Ｇ，１２Ｂ…液晶ライトバルブ、１３…投写レンズ、１４…ライトバルブ駆動部、２０…制御部、２１…記憶部、２２…入力操作部、２３…操作信号受信部、３１…画像信号入力部、３２…画像信号処理部、３３…色変換部、３４…画像分析部、３５…ＯＳＤ処理部、Ｇｉ…入力画像、Ｇｍ…色変換設定メニュー、Ｇｐ…マスク色設定メニュー、Ｇｆ…置換色設定メニュー、Ｇｒ…範囲設定メニュー、Ｇｓ…色選択リスト、Ｃｓ…色抽出カーソル、Ｃｒ…範囲指定カーソル、Ｐｃ…カラー画素、ＲＣ…リモコン、ＳＣ…スクリーン。
【図１】
2008233742.tif 000003
【図２】
2008233742.tif 000004
【図３】
2008233742.tif 000005
【図６】
2008233742.tif 000006
【図７】
2008233742.tif 000007
【図９】
2008233742.tif 000008
【図１０】
2008233742.tif 000009
【図４】
2008233742.tif 000010
【図５】
2008233742.tif 000011
【図８】
2008233742.tif 000012
【図１１】
2008233742.tif 000013
【図１２】
2008233742.tif 000014